(57)【特許請求の範囲】
【請求項１】
柔軟な積層体で形成された袋で、前面、後面、側面、天面、底面を有する直方体の包装体であって、前記袋の上下部にガゼット折りをされたガゼット折り部を有し、上部の上ガゼット折り部は適度な長さを持つ開閉フラップを形成し、前記前面の上部を含む前記開閉フラップの折り込まれた内側面に取り出し口を設け、かつ、前記開閉フラップは前記前面上部に折り込まれ感圧性接着剤で固定されており、かつ、前記の積層体が、合成樹脂フィルムと蒸着フィルムまたはアルミニウム箔を貼り合わせた複合フィルムからなり、かつ、前記袋の内部に、板紙などの固い材料からなる保形部材が、封入され、包装容器として保形性がよく、かつ、前記取り出し口が、Ｕ字形あるいはＶ字形の切り込みを入れた開口ベロを形成し、前記開閉フラップの折り込まれた時に接する部分に粘着剤を塗布し、前記開閉フラップを開閉することにより、切り込まれた前記開口ベロが同時に開閉することを特徴とする包装体。
【請求項２】
前記開口ベロの切れ込みが、表面から半切れ加工されていることを特徴とする請求項１に記載の包装体。
【請求項３】
前記開口ベロの切れ込みの半切れ加工が、レーザー加工によることを特徴とする請求項２に記載の包装体。
【発明の詳細な説明】
【０００１】
【産業上の利用分野】
本発明は、菓子などの食品、たばこ等を収納する包装体に関するものである。詳しくは、数回にかけて消費するようなものを収納する包装体に関するものである。
【０００２】
【従来の技術】
従来、菓子などの食品、たばこなどを収納する包装容器としては、板紙で形成されている紙器、あるいは、薄紙、プラスチックフィルムで形成されている軟包装などがある。たばこ等を収納する包み込み型の包装容器としては、たばこ等を直接包装している内包紙と、さらにその内包紙を包装している包か用紙と、その上部を折り込んで形成した折り込み部を止めている封緘紙と、そしてその包装した包か用紙全体を、密封包装している透明フィルムとで構成されている。包か用紙の材料としては、一般的な、薄紙が使用されている。また、ウエットティッシュ容器などでは、別パーツのシール部材を用いている。
【０００３】
【発明が解決しようとする課題】
しかしながら、従来の軟包装の包装形態では、袋を一旦あけてしまうと、再び密封することができず、ゴミなどが内部に入りこんで衛生的でない。また、全体的に、保形性に乏しく、また外からの力に弱く、部分的な力に対して、つぶれやすい。とくに、内容物を取り出した途中の段階では、極めてつぶれやすく、容器としての形状を保つことが難しいなどの問題があった。
本発明は、前述の問題点に鑑みてなされたもので、菓子などの食品、たばこなどの包装容器として、少量ずつ取り出し易く、再封が可能で保存性、防塵性、防菌性、気密性の良い包装体で、さらに、保形性が良く、内容物が一部取り出された状態においても、つぶれにくく、包装容器としての形状を保っている菓子などの食品、たばこなどの包装体を提供するものである。
【０００４】
【課題を解決するための手段】
前記課題を解決するためになされた本発明は、柔軟な積層体で形成された袋で、前面、後面、側面、天面、底面を有する直方体の包装体であって、前記袋の上下部にガゼット折りをされたガゼット折り部を有し、上部の上ガゼット折り部は適度な長さを持つ開閉フラップを形成し、前記前面の上部を含む前記開閉フラップの折り込まれた内側面に取り出し口を設け、かつ、前記開閉フラップは前記前面上部に折り込まれ感圧性接着剤で固定されていることを特徴とする包装体である。
また、前記袋の内部に、板紙などの固い材料からなる保形部材が、封入され、包装容器として保形性がよいことを特徴とし、前記取り出し口が、Ｕ字形あるいはＶ字形の切り込みを入れた切り込み部分を形成し、前記開閉フラップの折り込まれた時に接する部分に粘着剤を塗布し、前記開閉フラップを開閉することにより、切り込まれた前記切り込み部分が同時に開閉することを特徴としている。
さらに、前記切り込み部分が、表面から半切れ加工されていること、そして、前記切り込み部分の半切れ加工が、レーザー加工によることを特徴としている。
【０００５】
本発明によれば、菓子などの食品、たばこなどの包装容器として、少量ずつ取り出し易く、再封が可能で保存性、防塵性、防菌性、気密性の良い包装体で、さらに、保形性が良く、内容物が一部取り出された状態においても、つぶれにくく、包装容器としての形状を保っている菓子などの食品、たばこなどの包装体を得ることができる。
【０００６】
【発明の実施の形態】
以下図面に基づいて詳細に説明する。
図１は、本発明による包装体Ａを示す斜視図である。図２は、本発明による包装体Ａの開封した状態を示す斜視図である。図３は、本発明の包装体Ａの保形部材を示す斜視図である。図４は、本発明の包装体Ａの袋のブランクを示す展開図である。そして、図５は、本発明の包装体Ａの保形部材のブランクを示す展開図である。
本発明の包装体Ａは、袋１と保形部材２とから構成されていることが好ましい。
【０００７】
袋１は、保形部材２を密着して包み込むガゼットの形状となっている。図１および図２に示すように、本発明による包装体Ａは、両側面のガゼット部３、４と、合掌貼りあるいは封筒貼りされた縦シール部５と、袋１の上下部のガゼット折りをされたガゼット折り部を有し、上部の上ガゼット折り部つまり開閉フラップ６と、下部に下ガゼット折り部７を備えた形状の袋である。また、開閉フラップ６の上端には上横シール部８を下ガゼット折り部７の下端には下横シール部９を有している。
下ガゼット折り部７においては、下横シール部９は底面に折り込まれ、接着され、底面はほぼ平らな状態となる。上ガゼット折り部は、前面２０の上部をカバーする適度な長さを持つ開閉フラップ６となる。この開閉フラップ６は、前面２０の上部に折り込まれ、感圧性接着剤で前面２０に接着される。接着部１０の位置としては、開閉がしやすいように、開閉フラップ６の上端部に近い場所で、小さな面積で接着が部分的に行なわれることが好ましい。感圧性接着剤としては、アクリル系、ゴム系、ポリアミド系、ポリエステル系などの樹脂からなるものが使用できる。
【０００８】
つぎに、取り出し口１１は、前面２０の上部を含む開閉フラップ６の折り込まれた内側面に設けられる。取り出し口１１の形状は、Ｕ字形、Ｖ字形などがあげられるが、特に形は限定されない。また、取り出し口１１の大きさも、内容物を取り出すために適宜設定する。この取り出し口１１は、完全に穴を開けた状態でもよいが、Ｕ字形などに切れ込みを入れ、一部を袋に残したベロ状にした開口ベロ１２を設けた形状が良い。さらに、この切れ込みを、袋の材料を完全に切らずに半切れ状にしておき、最初の開封と同時に開口ベロ１２を開口するように設計することが、内容物の密封性の点から好ましい。この場合、開閉フラップ６の内側面と開口ベロ１２とを接着し、開閉フラップ６の開封と同時に開口ベロ１２が開口するようにする。この接着剤には、開閉フラップ６と前面２０との接着と同様の感圧性接着剤を使用してもよい。半切れ加工としては、通常、抜き刃を使用するが、レーザー光を利用したパルス発振型レーザーなどによって加工が可能である。これに用いるレーザーの種類は、炭酸ガスレーザー、ＹＡＧレーザー、半導体レーザー、アルゴンイオンレーザーなどで可能であり、特に限定されるものではない。
【０００９】
袋１を構成する柔軟な積層体としては、ポリエチレン、ポリプロピレン、ポリエステル、ポリ塩化ビニル、ポリアミドなどの合成樹脂フィルムの単体あるいは複合材、または、これらの合成樹脂フィルムとアルミニウム、シリカ、アルミナなどの蒸着フィルム、紙、アルミニウム箔などと貼り合わせた複合フィルムを用いることができる。
【００１０】
つぎに、図３に示すように、保形部材２は、袋１に封入され、包装体の形を直方体に保つ役目をしている。保形部材２の中には、内容物が、直接あるいは内包紙、アルミ箔などで包まれた状態で収納されている。前面の内側および後面の内側に固定されている。この保形部材３には、主に板紙が使用される。坪量は２００〜５００ｇ／ｍ2 が好ましい。他の材料として、保形性のあるプラスチックシートも使用できる。袋１に透明あるいは半透明の材料を使用する場合には、この保形部材３に種々の絵柄の印刷を施すことにより、外観上好ましい包装体を得ることができる。また、保形部材３に種々の窓を設けることにより、内容物をより見やすくすることができる。
【００１１】
図４は、本発明による包装体Ａの袋の展開図である。
袋のブランクは、それぞれの折れ線ａ、ｂ、ｃ、ｄを介して、前面２０と、後面２１と、側面２２、２３と、シール片２４とを順に連設して、この前面２０と、後面２１と、側面２２、２３と、シール片２４の上部には、折れ線を介して、開閉フラップ６を連設している。また、前面２０と、後面２１と、側面２２、２３と、シール片２４の下部には、折れ線を介して、下ガゼット折り部７を連設している。
【００１２】
そして、前面２０の上部を含む開閉フラップ６の内側面には、取り出し口１１が設けられている。取り出し口１１の形状は、Ｕ字形、Ｖ字形、丸形、四角形など、いずれの形であってもよい。
【００１３】
図５は、本発明による包装体Ａの保形部材２の展開図である。
保形部材２のブランクは、それぞれの折れ線を介して、前面３０と、底面３２と、後面３１とを順に連設して、この前面３０の両側には、折れ線を介して、側面３３、３４とを連設し、底面３２には、折れ線を介して、糊代片３７、３８とを連設し、後面３１には、折れ線を介して、糊代片３５、３６とを連設する。
そして、前面３０の上部は、袋１の切り込み部分の形状に合わせて切り取られる。保形部材２は、側面３３と糊代片３５と糊代片３７、側面３４と糊代片３６と糊代片３８とを、折り込みながら接着剤で接着し、組み立てられる。
【００１４】
つぎに、本発明の袋を製袋する手順を説明すると、前面２０の左右両側にある側面２３、２４をそれぞれ折れ線ａ、ｂ、ｃ、ｄ、ｅ、ｆとでＷ形にして内側に折り込んでガゼット３、４を形成し、後面２２においてシール片２４を外向きに折り返した状態とし、この部分を後面２２の左端内面に重ねた状態でヒートシールすることにより合掌貼りした縦シール部５を形成する。ついで、下横シール部９をヒートシールして下ガゼット折り部７を形成し、閉じた状態とする。そして、充填工程において、側面２２、２３のガゼット部３、４を広げるようにして全体を角筒状に起こし、開いた上部から内容物の入った保形部材２を挿入する。つずいて、上横シール部８をヒートシールして開閉フラップ６を形成し、密封するものである。さらに、下横ヒートシール部９は底部に折り込まれ、接着剤あるいはヒートシールによって底部に接着、固定される。開閉フラップ６は前面２０の上部に折り込まれ、感圧性接着剤で前面２０に接着される。同時に、開閉フラップ６は取り出し口１１の部分にも感圧性接着剤で接着される。
【００１５】
本発明の包装体Ａを実際に開封する時には、まず、前面２０の上部に感圧性接着剤で固定された開閉フラップ６を摘まみ、剥がしながら開封する。同時に取り出し口１１の開口ベロ１２が開口される。取り出し口１１から内容物を取り出した後、開閉フラップ６は感圧性接着剤で前面２０に再び固定することができる。そして、この動作を繰り返して行なうことができる。
【００１６】
【実施例】
具体的に例をあげて本発明を説明する。
まず、保形部材として、坪量が３１０ｇ／ｍ2 の板紙を使用した。この板紙を用いて、図４に示すようなブランクを打ち抜き加工で作成した。つぎに、袋として、材料の層構成が、ＯＰニス／印刷／アルミニウム箔７μｍ／紙５２ｇ／ｍ2 ／ポリエチレン３５μｍよりなる積層体を使用した。この積層体を用いてガゼットの形状の縦シールおよび底部がヒートシールされた袋を作成した。その工程で、取り出し口になる位置に、図３に示すようにＵ字形の開口ベロを半切れ加工で形成した。この半切れ加工では、ＯＰニス／印刷／アルミニウム箔／紙の層を打ち抜き、ポリエチレンの層のみを残した。片方が開口している袋に、内容物の入った保形部材を挿入した。底部では、下横シール部が底面に折り込み、ホットメルト型の接着剤で底面に接着した。上部では、上端の横シールを行い、この開閉フラップを前面に折り込み、アクリル系のホットメルト型の感圧性接着剤を使用して、開閉フラップの内面と前面、および開閉フラップの内面と開口ベロとを接着した。
【００１７】
【発明の効果】
本発明によれば、菓子などの食品、たばこなどの包装容器として、少量ずつ取り出し易く、再封が可能で保存性、防塵性、防菌性、気密性の良い包装体で、さらに、保形性が良く、内容物が一部取り出された状態においても、つぶれにくく、包装容器としての形状を保っている菓子などの食品、たばこなどの包装体を得ることができる。
【図面の簡単な説明】
【図１】本発明の包装体Ａを示す斜視図である。
【図２】本発明の包装体Ａの開封した状態を示す展開図である。
【図３】本発明の包装体Ａの保形部材を示す斜視図である。
【図４】本発明の包装体Ａの袋のブランクを示す展開図である。
【図５】本発明の包装体Ａの保形部材のブランクを示す展開図である。
【符号の説明】
Ａ  包装体
１  袋
２  保形部材
３  ガゼット
４  ガゼット
５  縦シール部
６  開閉フラップ
７  下ガゼット折り部
８  上横シール部
９  下横シール部
１０  接着部
１１  取り出し口
１２  開口ベロ
２０  前面
２１  後面
２２  側面
２３  側面
２４  シール片
３０  前面
３１  後面
３２  底面
３３  側面
３４  側面
３５  糊代片
３６  糊代片
３７  糊代片
３８  糊代片
【図１】
0003813274.tif 000002
【図２】
0003813274.tif 000003
【図３】
0003813274.tif 000004
【図４】
0003813274.tif 000005
【図５】
0003813274.tif 000006